【事件の表示】
　特願２０００−１４１８２０「セグメントの継手装置」拒絶査定不服審判事件〔平成１３年１１月２２日出願公開、特開２００１−３２３７８８〕について、次のとおり審決する。
【結　論】
　本件審判の請求は、成り立たない。
【理　由】
【１】手続の経緯
　本願は、平成１２年５月１５日に出願したものであって、平成１６年３月２３日付けで拒絶査定がなされ、これに対し、同年５月２４日に拒絶査定に対する審判請求がなされるとともに同年６月１８日受付けで手続補正がなされたものである。
　　　　　
　　　　　
【２】平成１６年６月１８日受付け手続補正についての補正の却下の決定
［補正の却下の決定の結論］
　平成１６年６月１８日受付け手続補正（以下、「本件補正」という。）を却下する。
　　　　　
［理由］
〔１〕補正後の本願発明
　本件補正は、特許請求の範囲の請求項１を次のとおりに補正することを含むものである。
　「雄継手（２）を有する第１のセグメント（１）の接続面（１１）に雌継手（１５）を有する第２のセグメント（２０）の接続面（２２）をつき合せて第１のセグメント（１）と第２のセグメント（２０）とを接続するためのセグメントの継手装置において、第１のセグメント（１）の接続面（１１）に設けられた雄継手取付孔（１３）にボルト状の頭部（４）を有する雄継手（２）が摺動自在に取り付けられ、第２のセグメント（２０）の接続面（２２）の雌継手（１５）は雄継手（２）の頭部（４）が係止される係止部（１７）と頭部（４）が挿入されこの頭部（４）を係止部（１７）にガイドするガイド部（１６）とを備え、前記雄継手（２）のねじ部（６）に螺合される雌ねじ（８ａ）を有するウオームホイルナット（８）はウオーム（Ｗ）と係合するウオームホイル部（８ｂ）を有しており、そして第１のセグメント（１）には前記ウオーム（Ｗ）を挿入する駆動穴（３）がセグメントの内周から半径方向外方に成形されており、互いに離隔した前記接続面（１１）と（１２）との近接動作に応じて、雄継手（２）の頭部（４）が第２のセグメントのガイド部（１６）によりガイドされて係止部（１７）と係合してねじ部（６）の回転により第２のセグメント（２０）を第１のセグメント（１）の方に引き込むことを特徴とするセグメントの継手装置。」（以下、「補正発明」という。尚、上記記載中、「接続面（１１）と（１２）」は、「接続面（１１）と（２２）」の明白な誤りである。）
　上記補正は、特許請求の範囲の減縮を目的とするものであるから、上記補正発明が、その特許出願の際に独立して特許を受けることができるものであるか否かについて、以下に検討する。
　　　　　
〔２〕引用刊行物とそれに記載された技術事項
１．原査定における拒絶の理由で引用し、本願出願前に日本国内において頒布された刊行物である特開平８−１３５３８５号公報（以下、「刊行物１」という。）には、シールドトンネル覆工用ＲＣセグメントの埋込み継手に関して、以下の技術事項が図面とともに記載されている。
（１）「【請求項１】シールドトンネル覆工用ＲＣセグメント内に埋め込まれて使用されるものであって、雌型嵌合体と、該雌型嵌合体に嵌合する雄型嵌合体と、該雄型嵌合体を該雌型嵌合体に向けて前進・後退させる駆動機構とを備え、前記雌型嵌合体は一方のＲＣセグメント内に設けられ、前記雄型嵌合体及び前記駆動機構は隣り合う他方のＲＣセグメント内に設けられ、前記雌型嵌合体と前記雄型嵌合体とは前記一対のＲＣセグメントの境界を介して対峙しており、前記駆動機構の操作部の少なくとも一部は前記他方のＲＣセグメントの内側の空間に露されていることを特徴とするシールドトンネル覆工用ＲＣセグメントの埋込み継手。【請求項２】前記雄型嵌合体の先端には雄型嵌合部が設けられ、該雄型嵌合部の後側には棒状体が延設され、該棒状体にはネジ部及びウォームホイール部が形成され、該ねじ部はＲＣセグメントに直接又は他の部材を介してナット状金具に回転可能に支持され、該ウォームホイール部には前記駆動機構のウォームが歯合され、該ウォームには前記操作部が連結されていることを特徴とする請求項１記載の埋込み継手。【請求項３】前記ウォームホイール部には１個以上または一対のウォームが該ウォームホイールを挟持するように歯合していることを特徴とする請求項２記載の埋込み継手。【請求項４】前記一対のウォームは相互に逆回転するようになっていることを特徴とする請求項３記載の埋込み継手。【請求項５】前記雄型嵌合体は該雄型嵌合体を被覆するケース内に収納されていることを特徴とする請求項１〜４記載の埋込み継手。・・・【請求項８】前記操作部の端部が多角形になっていることを特徴とする請求項１〜７記載の埋込み継手。」（【特許請求の範囲】）
（２）「【産業上の利用分野】この発明は、地下鉄、道路、上下水道、電力、通信のとう道、共同溝などの建設に使用するシールドトンネル覆工用ＲＣセグメント（ＲＣセグメントを通常コンクリートセグメントと呼ぶこともある。）の継手に関するものである。」（段落【０００１】）
（３）「【作用】請求項１記載の発明において、駆動機構の操作部を一方の方向に操作すると、駆動機構により雄型嵌合体が前進し、雌型嵌合体に嵌合する。駆動機構の操作部を他方の方向に操作すると、駆動機構により雄型嵌合体が後退し、雌型嵌合体が雄型嵌合体に引っ張られ、ＲＣセグメントが雌型嵌合体とともに駆動機構側のＲＣセグメントに密着する。」（段落【００１８】）
（４）「【実施例】図１はこの発明の一実施例に係る継手の部分斜視図、図２はＲＣセグメントの斜視図、図３及び図４はこの発明の一実施例に係る継手の側面図、図５はこの発明の一実施例に係る継手の平面図である。」（段落【００１９】）
（５）「ＲＣセグメント１０は所定の厚さを有する矩形の板状体からなり、円筒の一部を形成するように円弧状に湾曲している。ＲＣセグメント１０の内部には、図１及び図２に示すように、この発明に係る継手２０が埋め込まれた状態で設けられている。」（段落【００２０】）
（６）「継手２０は、雌型嵌合体２２と、雌型嵌合体２２に嵌合する雄型嵌合体２４と、雄型嵌合体２４を雌型嵌合体２２に向けて前進・後退させる駆動機構２６とからなる。」（段落【００２１】）
（７）「雌型嵌合体２２は一方のＲＣセグメント１０内に設けられている。図３〜図５に示す雌型嵌合体２２は洗濯ばさみ状のものからなるが、図６に示すような形状のものでももよい。雄型嵌合体２４及び駆動機構２６は隣り合う他方のＲＣセグメント１０内に設けられている。雌型嵌合体２２と雄型嵌合体２４とは一対のＲＣセグメント１０，１０の境界を介して対峙している。」（段落【００２２】）
（８）「雄型嵌合体２４の先端には雄型嵌合部２８が設けられ、雄型嵌合部２８の後側には棒状体３０が延設され、棒状体３０にはネジ部３２及びウォームホイール部３４が形成され、ネジ部３２はナット状金具３６に回転可能に支持され、ウォームホイール部３４には駆動機構２６のウォーム３８，３８が歯合し、ウォーム３８，３８には操作部４０が連結されている。」（段落【００２３】）
（９）「ウォームホイール部３４には一対のウォーム３８，３８がウォームホイール部３４を挟持するように歯合している。この一対のウォーム３８，３８は相互に逆回転するようになっている。ナット状金具３６は後述するケースに支持されている。」（段落【００２４】）
（１０）「雄型嵌合体２４及び駆動機構２６はこれらを被覆するケース４２内に収納され、ＲＣセグメント１０を形成するコンクリートから保護されている。ケース４２はＲＣセグメント１０内に固定されたアンカー４４に連結支持されている。」（段落【００２５】）　　　
（１１）「駆動機構２６の操作部４０の少なくとも一部は他方のＲＣセグメント１０の内側の空間に露されている。操作部４０の端部は機械で回転させ易いように多角形になっている。」（段落【００２６】）
（１２）「次に、この埋込み継手の動作について説明する。まず、トンネル内にＲＣセグメント１０をトンネルの壁面に沿って円筒状に仮組みする。」（段落【００２７】）
（１３）「次に、トンネルの内側から操作部４０の端部に回転装置（図示せず）を嵌合させ、回転装置を一方の方向に回転させ、操作部４０を矢印Ａで示す方向に回転させると、ウォーム３８，３８が矢印ａ，ｂで示す方向に回転する。なお、この回転のために１個以上の歯車をウォーム３８，３８間に使用する（図示せず）。ウォーム３８，３８が矢印ａ，ｂで示す方向に回転すると、ウォームホイール部３４が矢印Ｂで示す方向に回転し、雄型嵌合体２４がネジ部３２をナット状金具３６内で回転させながら矢印Ｃで示す方向に前進する。雄型嵌合体２４の雄型嵌合部２８が雌型嵌合体２２に当接すると、雌型嵌合体２２の開口部２２ａが開き、雌型嵌合体２２の開口部２２ａに雄型嵌合体２４の雄型嵌合部２８が嵌合する。」（段落【００２８】）
（１４）「次に、回転装置を逆の方向に回転させ、操作部４０を矢印Ａで示す方向と逆の方向に回転させると、ウォーム３８，３８が矢印ａ，ｂで示す方向と逆の方向に回転し、ウォームホイール部３４が矢印Ｂで示す方向と逆の方向に回転し、雄型嵌合体２４がネジ部３２をナット状金具３６内で逆転させながら後退し、雌型嵌合体２２は雄型嵌合体２４に引っ張られ、雌型嵌合体２２側のＲＣセグメント１０は駆動機構２６側のＲＣセグメント１０に引っ張られ、駆動機構２６側のＲＣセグメント１０に密着・連結する。」（段落【００２９】）
（１５）「【発明の効果】この発明によれば、セグメントの内周面から駆動機構を駆動させて、雌型嵌合体に雄型嵌合体を嵌合させることができるので、ＲＣセグメントの組み立ての機械化が可能になるという効果がある。」（段落【００３０】）
　これら（１）〜（１５）の記載及び図面の記載並びに当業者の技術常識によれば、刊行物１には、以下の発明が記載されているものと認められる。
　「雄型嵌合体２４を有する他方のＲＣセグメント１０の境界面に雌型嵌合体２２を有する一方のＲＣセグメント１０の境界面をつき合せて他方のＲＣセグメント１０と一方のＲＣセグメント１０とを接続するためのＲＣセグメントの埋込み継手２０において、他方のＲＣセグメント１０の境界面に設けられたケース４２内に雄型嵌合部２８を有する雄型嵌合体２４が摺動自在に取り付けられ、一方のＲＣセグメント１０の境界面の雌型嵌合体２２は雄型嵌合体２４の雄型嵌合部２８が係止される開口部２２ａを備え、前記雄型嵌合体２４の棒状体３０は、そのネジ部３２を介してナット状金具３６に回転可能に支持され、そのウォームホイール部３４に螺合されるウオーム３８は操作部４０との係合部分を有しており、そして他方のＲＣセグメント１０には前記操作部４０を挿入する穴がセグメントの内周から半径方向外方に成形されており、互いに離隔した前記境界面相互の近接動作に応じて、雄型嵌合体２４の雄型嵌合部２８が一方のＲＣセグメント１０の開口部２２ａと係合して棒状体３０の回転により一方のＲＣセグメント１０を他方のＲＣセグメント１０の方に引き込むＲＣセグメントの埋込み継手２０。」（以下、「刊行物１記載の発明」という。）
　　　　　　
２．同じく、実公昭６２−６９８４号公報（以下、「刊行物２」という。）には、アクチユエータに関して、以下の技術事項が図面とともに記載されている。
（１）「出力軸たるねじ棒を螺合進退させるためのナツト状のドライブスリーブの外周に、当該ドライブスリーブに回転力を付与するための伝動ホイールを着脱可能に装着したものにおいて、・・・このドライブスリーブの中間部外周に前記伝動ホイールをトルク伝達機構を介して空転不能に嵌合させ、・・・ていることを特徴とするアクチユエータ。」（実用新案登録請求の範囲）
（２）「この種のアクチユエータは、出力軸たるねじ棒をナツト状のドライブスリーブに螺合させるとともに、このドライブスリーブの外周にウオームホイールその他の伝動ホイールを設けておき、前記ドライブスリーブを前記伝動ホイールを介して電動機等によつて回転駆動することによつて前記ねじ棒を螺合進退させ、このねじ棒の先端で弁の開閉等を行わせるようにしたものが一般的である。」（１頁２欄１〜８行）
（３）「出力軸たるねじ棒１をナツト状のドライブスリーブ２の内周に設けた送りねじ部２ａに螺合させるとともに、このドライブスリーブ２の外周に伝動ホイール、例えば、ウオームホイール３を着脱可能に装着し、前記ドライブスリーブ２を前記ウオームホイール３および当該ウオームホイール３に噛合させたウオーム４を介して図示しない電動機により回転駆動することによつて、前記ねじ棒１を軸心方向に進退させるようにしている。」（２頁４欄１５〜２３行）
　これら（１）〜（３）の記載及び図面の記載並びに当業者の技術常識によれば、刊行物２には、以下の発明が記載されているものと認められる。
　「ねじ棒１に螺合される送りねじ部２ａを有するドライブスリーブ２の外周に、ウオームホイール３を、トルク伝達機構を介して空転不能に嵌合させ、ウオームホイール３に噛合させたウオーム４を回転駆動することにより、ドライブスリーブ２及びウオームホイール３を介してねじ棒１を軸心方向に進退させるようにしたアクチユエータ。」　
　　　　　　　　　　
３．同じく、特開２０００−５４７９５号公報（以下、「刊行物３」という。）には、セグメントに関して、以下の技術事項が図面とともに記載されている。
（１）「【発明の実施の形態】以下、本発明のセグメントの実施の形態を図によって説明する。図１及び図２において、符号１はセグメントである。このセグメント１は、平面視矩形状に形成されたコンクリート製のセグメントであり、掘削穴の周方向への接合端面である周方向接合端面２同士を接合させるとともに掘削穴の軸方向への接合端面である軸方向接合端面３同士を接合させることにより、これらセグメント１からなる筒状壁体Ｔが掘削穴内に構築されるようになっている。」（段落【００１２】）
（２）「次に、これらセグメント１の互いの周方向接合端面２・・・同士の接合構造について説明する。」（段落【００１３】）
（３）「（掘削穴周方向への接合構造）このセグメント１は、図３に示すように、周方向接合端面２の一方が雄側周方向接合端面（一方の周方向接合端面）２ａとされ他方が雌側周方向接合端面（他方の周方向接合端面）２ｂとされている。雄側周方向接合端面２ａには、図４に示すように、複数の雄継手４が設けられ、雌側周方向接合端面２ｂには、図５に示すように、雄継手４と同数の雌継手５が設けられている。」（段落【００１４】）　　
（４）「雄継手４は、図６及び図７に示すように、略中心に孔部６が形成されたベース板７と、・・・ベース板７の表面側から孔部６へ挿通されておねじ部１０ａを袋ナット８のめねじ部８ａへ締結させることによりベース板７から突出された状態に固定されたボルト（棒体）１０とを有するもので、・・・。」（段落【００１５】）　　
（５）「また、ボルト１０には、ベース板７側から順に、円筒状に形成されたスペーサ１２、平ワッシャ１３、複数の皿バネ（弾性部材）１４が設けられており、平ワッシャ１３、皿バネ１４及びボルト１０のヘッド（大径部）１５から、後述する雌継手５の係止板２３へ係止する係止部１６が構成されている。そして、上記構造の係止部１６の平ワッシャ１３とベース板７の表面との間隔がスペーサ１２によって所定寸法にされている。」（段落【００１６】）
（６）「雌継手５は、切欠部２２が形成された係止板２３を有するもので、・・・この雌継手５の係止板２３の切欠部２２は、その端部近傍が端部方向へ次第に広がるテーパ状に形成され、さらに、切欠部２２の端部近傍における係止板２３の裏面側には、端部から次第に厚さを増す方向に傾斜したテーパ面２７が形成されている。」（段落【００１８】）
（７）「・・・この雌継手５が設けられた雌側周方向接合端面２ｂには、雌継手５の、係止板２３の切欠部２２側に凹部２８が形成されている。」（段落【００１９】）
（８）「上記構造の雄継手４と雌継手５とを接合させる際には、雌継手５の側部に形成された凹部２８に雄継手５のボルト１０を配設させるように、セグメント１の雄側周方向接合端面２ａと雌側周方向接合端面２ｂとを互いに当接させた状態にてスライドさせて、雌継手５を構成する係止板２３の切欠部２２に雄継手４を構成するボルト１０を嵌合させる。」（段落【００２０】）
（９）「このようにすると、ボルト１０の係止部１６を構成する平ワッシャ１３が係止板２３のテーパ面２７に当接し、このテーパ面２７の傾斜方向へ案内されて係止板２３の裏面側へ入り込む。・・・。」（段落【００２１】）
　これら（１）〜（９）の記載及び図面の記載並びに当業者の技術常識によれば、刊行物３には、以下の発明が記載されているものと認められる。
　「セグメント１，１の互いの周方向接合端面２同士の接合構造であって、一方のセグメント１の雄側周方向接合端面２ａにおいては、ベース板７の略中心に形成した孔部６に、ヘッド（大径部）１５を有し平ワッシャ１３等を装着したボルト（棒体）１０が取り付けられて係止部１６が形成され、他方のセグメント１の雌側周方向接合端面２ｂにおいては、切欠部２２が形成された係止板２３を有する雌継手５が取り付けられるとともに該係止板２３の切欠部２２側に凹部２８が設けられて雌継手が形成され、係止部１６と雌継手とを接合させる際に、係止部１６のヘッド（大径部）１５等が、雌継手の凹部２８により案内されて係止板２３の切欠部２２に係合するようにした、セグメント接合構造。」
　　　　　　　　　
〔３〕対比・判断
１．補正発明と刊行物記載の発明との対比
　そこで、補正発明と刊行物１記載の発明とを対比すると、刊行物１記載の発明の「雄型嵌合体２４」，「他方のＲＣセグメント１０」，「他方のＲＣセグメント１０の境界面」，「雌型嵌合体２２」，「一方のＲＣセグメント１０」，「一方のＲＣセグメント１０の境界面」，「ＲＣセグメントの埋込み継手２０」，「ケース４２内」，「雄型嵌合部２８」，「開口部２２ａ」が、補正発明の「雄継手（２）」，「第１のセグメント（１）」，「第１のセグメント（１）の接続面（１１）」，「雌継手（１５）」，「第２のセグメント（２０）」，「第２のセグメント（２０）の接続面（２２）」，「セグメントの継手装置」，「雄継手取付孔（１３）」，「頭部（４）」，「係止部（１７）」にそれぞれ相当し、
　そして、刊行物１記載の発明の「雄型嵌合体２４」の「棒状体３０」と、補正発明の「雄継手（２）」の「ねじ部（６）」を有する部分とは、「雄型嵌合体２４」或いは「雄継手（２）」の「棒状部」である点で技術的に共通し、
　また、刊行物１記載の発明の上記「棒状体３０」の「ウォームホイール部３４」に螺合される「ウオーム３８」と該「ウオーム３８」に係合する「操作部４０」とからなる機構と、補正発明の上記「ねじ部（６）」に螺合される「雌ねじ（８ａ）」及び「ウオーム（Ｗ）と係合するウオームホイル部（８ｂ）」を有する「ウオームホイルナット（８）」と該「ウオームホイルナット（８）」の「ウオームホイル部（８ｂ）」に係合する「ウオーム（Ｗ）」とからなる機構とは、「雄型嵌合体２４」或いは「雄継手（２）」の「駆動機構」である点で技術的に共通し、
　さらに、刊行物１記載の発明の上記「操作部４０」と、補正発明の上記「ウオーム（Ｗ）」とは、上記「駆動機構」の「駆動部材」である点で技術的に共通し、刊行物１記載の発明の上記「操作部４０」を挿入する「穴」と、補正発明の上記「ウオーム（Ｗ）」を挿入する「駆動穴（３）」とは、「駆動穴」である点で技術的に共通するものと云えるから、両者は、
　「雄継手を有する第１のセグメントの接続面に雌継手を有する第２のセグメントの接続面をつき合せて第１のセグメントと第２のセグメントとを接続するためのセグメントの継手装置において、第１のセグメントの接続面に設けられた雄継手取付孔に頭部を有する雄継手が摺動自在に取り付けられ、第２のセグメントの接続面の雌継手は雄継手の頭部が係止される係止部を備え、前記雄継手の駆動機構を有しており、そして第１のセグメントには前記駆動機構の駆動部材を挿入する駆動穴がセグメントの内周から半径方向外方に成形されており、互いに離隔した前記接続面相互の近接動作に応じて、雄継手の頭部が第２のセグメントの係止部と係合して棒状部の回転により第２のセグメントを第１のセグメントの方に引き込むセグメントの継手装置。」（但し、符号を省略して記載する。「〔３〕対比・判断」の項における、以下の記載においても、同様。）の点で一致し、以下の点で相違する。
＜相違点１＞
　「雄継手」の「頭部」に関して、補正発明が、「ボルト状の」ものであるのに対し、刊行物１記載の発明は、そのようなものであるのか否か定かでない点。
＜相違点２＞
　「雌継手」に関して、補正発明が、「頭部が挿入されこの頭部を係止部にガイドするガイド部を備え」たものであるのに対し、刊行物１記載の発明は、そのようなガイド部を備えたものであるのか否か定かでない点。
＜相違点３＞
　「駆動機構」に関して、補正発明が、「雄継手のねじ部に螺合される雌ねじ」及び「ウオームと係合するウオームホイル部」を有する「ウオームホイルナット」と、該「ウオームホイルナット」の「ウオームホイル部」に係合してこれを駆動する「ウオーム」とからなるのに対し、刊行物１記載の発明は、「雄継手」（「雄型嵌合体」）の「ウォームホイール部」に螺合される「ウオーム」と、該「ウオーム」に係合してこれを駆動する「操作部」とからなるものであり、補正発明とは、別異の「駆動機構」を構成している点。
　　　　　
２．相違点についての検討
＜相違点１，２について＞
　相違点１，２について検討するために刊行物３をみると、刊行物３には、上記したような「セグメント接合構造」の発明が記載されており、刊行物３記載の発明の「一方のセグメント１」，「雄側周方向接合端面２ａ」，「孔部６」，「ヘッド（大径部）１５」，「係止部１６」，「他方のセグメント１」，「雌側周方向接合端面２ｂ」が、補正発明の「第１のセグメント」，「接続面」，「雄継手取付孔」，「ボルト状の頭部」，「雄継手」，「第２のセグメント」，「接続面」に相当し、また、刊行物３記載の発明の「雌継手５」及び「凹部２８」からなる「雌継手」が、補正発明の「雌継手」に相当し、さらに、刊行物３記載の発明の「雌継手」における「凹部２８」が、補正発明の「ガイド部」に相当することが明らかであり、したがって、刊行物３には、補正発明における相違点１に係る技術事項である「ボルト状の頭部を有する雄継手」の構成、及び、同、相違点２に係る技術事項である「頭部が挿入されこの頭部を係止部にガイドするガイド部を備えた雌継手」の構成が記載されていることになるから、補正発明における相違点１，２に係る技術事項は、何れも、刊行物１，３記載の発明から当業者が容易に想到し得たものと認められる。
＜相違点３について＞
　相違点３について検討するために刊行物２をみると、刊行物２には、上記したような「アクチユエータ」の発明が記載されており、該「アクチユエータ」は、「ウオームホイール３に噛合させたウオーム４を回転駆動することにより、ドライブスリーブ２及びウオームホイール３を介してねじ棒１を軸心方向に進退させるようにした」ものであるところ、刊行物２記載の「アクチユエータ」の技術が、請求人が主張するように、「バルブの開閉等に使用されるアクチユエータであって、引用例１のシールドトンネル覆工用ＲＣセグメントの埋込み継手とは、技術分野を全く異にするもの」（請求書、（４）（ｂ）参照。）であるとしても、刊行物１記載の発明における棒状の部材である「雄型嵌合体２４」の軸心方向への進退機構として該技術を用いることに、格別の技術的困難性、及び、何らの適用阻害要因を認めることができないものであり、そして、刊行物２記載の発明の「ねじ棒１」，「送りねじ部２ａ」，「ドライブスリーブ２及びウオームホイール３」，「ウオーム４」が、補正発明の「ねじ部」，「雌ねじ」，「ウオームホイルナット」，「ウオーム」に相当することが明らかであり、したがって、刊行物２には、補正発明における相違点３に係る技術事項である「ねじ部に螺合される雌ねじ」及び「ウオームと係合するウオームホイル部」を有する「ウオームホイルナット」と、該「ウオームホイルナット」の「ウオームホイル部」に係合してこれを駆動する「ウオーム」とからなる「駆動機構」の構成が記載されていることになるから、補正発明における相違点３に係る技術事項は、刊行物１，２記載の発明から当業者が容易に想到し得たものと認められる。
　　　　　
３．まとめ
　そして、補正発明によって奏する効果も、刊行物１〜３記載の発明から普通に予測できる範囲内のものであって、格別なものがあるとは認められないから、補正発明は刊行物１〜３記載の発明に基づき当業者が容易に発明をすることができたものと云わざるを得ない。
　　　　　
〔４〕むすび
　したがって、補正発明は、特許法第２９条第２項の規定により、その特許出願の際に独立して特許を受けることができないものである。
　以上のように、本件補正は、特許法第１７条の２第５項において準用する同法第１２６条第５項の規定に違反するものであるから、特許法第１５９条第１項において読み替えて準用する同法第５３条第１項の規定により却下すべきものである。
　よって、上記［補正の却下の決定の結論］のとおり、決定する。
　　　　　
　　　　　
【３】本願発明について
〔１〕本願発明
　本願の請求項１に係る発明は、平成１６年６月１８日受付けの手続補正が上記のとおり却下されたので、平成１６年３月１日受付けの手続補正により補正された明細書及び図面の記載からみて、その特許請求の範囲の請求項１に記載された事項により特定される以下のとおりのものと認める。
　「雄継手（２）を有する第１のセグメント（１）の接続面（１１）に雌継手（１５）を有する第２のセグメント（２０）の接続面（２２）をつき合せて第１のセグメント（１）と第２のセグメント（２０）とを接続するためのセグメントの継手装置において、第１のセグメント（１）の接続面（１１）に設けられた雄継手取付孔（１３）にボルト状の頭部（４）を有する雄継手（２）が摺動自在に取り付けられ、第２のセグメント（２０）の接続面（２２）の雌継手（１５）は雄継手（２）の頭部（４）が挿入されるガイド部（１６）と係止部（１７）とを備え、前記雄継手（２）のねじ部（６）に螺合される雌ねじ（８ａ）を有するウオームホイルナット（８）はウオーム（Ｗ）と係合するウオームホイル部（８ｂ）を有しており、そして第１のセグメント（１）には前記ウオーム（Ｗ）を挿入する駆動穴（３）がセグメントの内周から半径方向外方に成形されており、雄継手（２）の頭部（４）が第２のセグメントのガイド部（１６）から挿入されて係止部（１７）と係合してねじ部（６）の回転により第２のセグメント（２０）を第１のセグメント（１）の方に引き込むことを特徴とするセグメントの継手装置。」（以下、「本願発明」という。）
　　　　　
〔２〕引用刊行物とそれらに記載された事項
　これに対し、原査定における拒絶の理由で引用し、本願出願前に日本国内において頒布された引用刊行物の記載事項は、上記【２】〔２〕に記載したとおりである。
　　　　　
〔３〕対比・判断
　本願発明は、上記【２】で検討した補正発明において、「頭部（４）が係止される係止部（１７）と頭部（４）が挿入されこの頭部（４）を係止部（１７）にガイドするガイド部（１６）」を、「頭部（４）が挿入されるガイド部（１６）と係止部（１７）」に変更し、また、「互いに離隔した前記接続面（１１）と（１２）との近接動作に応じて、雄継手（２）の頭部（４）が第２のセグメントのガイド部（１６）によりガイドされて係止部（１７）と係合し」を、「雄継手（２）の頭部（４）が第２のセグメントのガイド部（１６）から挿入されて係止部（１７）と係合し」に変更するものである。
　そうすると、本願発明の技術事項を全て含む補正発明が、上記【２】〔３〕に記載したとおり、刊行物１〜３記載の発明に基づき当業者が容易に発明できたものであるから、本願発明も、刊行物１〜３記載の発明に基づき当業者が容易に発明できたものと云わざるを得ない。
　　　　　　
〔４〕むすび
　したがって、本願発明は、刊行物１〜３記載の発明に基づき当業者が容易に発明できたものであるので、特許法第２９条第２項の規定により、特許を受けることができない。
　よって、結論のとおり審決する。